(57)【特許請求の範囲】
【請求項１】
既設の２ハンドル混合栓の混合栓本体における吐水管が設置されている吐水管取付部を利用した２ハンドル混合栓からシングルレバー混合栓への取替構造であって、前記吐水管を取り外した後の前記吐水管取付部にシングルレバー混合栓本体を取付板を介して固定するように構成してあることを特徴とする混合栓取替構造。
【請求項２】
既設の２ハンドル混合栓の混合栓本体における吐水管が設置されている吐水管取付部を利用した２ハンドル混合栓からシングルレバー混合栓への取替構造であって、前記吐水管を取り外した後の前記吐水管取付部にシングルレバー混合栓本体を取付板を介して接続する一方、前記シングルレバー混合栓本体への湯連通手段を弁機構を含む前記２ハンドル混合栓の湯ハンドルを取り外した後の第１シート部および前記シングルレバー混合栓本体間に設けるとともに、前記シングルレバー混合栓本体への水連通手段を弁機構を含む前記２ハンドル混合栓の水ハンドルを取り外した後の第２シート部および前記シングルレバー混合栓本体間に設け、更に、前記取付板と前記湯連通手段および水連通手段をそれぞれ保持しながら、前記湯連通手段を前記第１シート部に、かつ、前記水連通手段を前記第２シート部にそれぞれ密着させてあることを特徴とする混合栓取替構造。
【発明の詳細な説明】
【０００１】
【発明の属する技術分野】
この発明は、既設の２ハンドル（湯水）混合栓の混合栓本体に設置されている吐水管を取り外した後の吐水管取付部を利用してシングルレバー混合栓本体を固定するように構成した混合栓取替構造に関する。
【０００２】
【従来の技術および発明が解決しようとする課題】
台所等の面板上に設置される混合栓本体を備えた、いわゆる、台付タイプの２ハンドル混合栓が老朽化したり故障したりして取替える場合は、２ハンドル混合栓の混合栓本体を取り外す工事はもとより、給水・給湯配管まで取り外す工事が必要であるから、費用が嵩むとともに、時間も費やすことになる。
【０００３】
この発明は上述の事柄に留意してなされたもので、その目的は、給水・給湯配管を取り外すことなく簡単かつ確実に２ハンドル混合栓をシングルレバー混合栓に取替えできる混合栓取替構造を提供することである。
【０００４】
【課題を解決するための手段】
上記目的を達成するために、この発明は、既設の２ハンドル混合栓の混合栓本体における吐水管が設置されている吐水管取付部を利用した２ハンドル混合栓からシングルレバー混合栓への取替構造であって、前記吐水管を取り外した後の前記吐水管取付部にシングルレバー混合栓本体を取付板を介して固定するように構成してある。
【０００５】
また、この発明は別の観点から、既設の２ハンドル混合栓の混合栓本体における吐水管が設置されている吐水管取付部を利用した２ハンドル混合栓からシングルレバー混合栓への取替構造であって、前記吐水管を取り外した後の前記吐水管取付部にシングルレバー混合栓本体を取付板を介して接続する一方、前記シングルレバー混合栓本体への湯連通手段を弁機構を含む前記２ハンドル混合栓の湯ハンドルを取り外した後の第１シート部および前記シングルレバー混合栓本体間に設けるとともに、前記シングルレバー混合栓本体への水連通手段を弁機構を含む前記２ハンドル混合栓の水ハンドルを取り外した後の第２シート部および前記シングルレバー混合栓本体間に設け、更に、前記取付板と前記湯連通手段および水連通手段をそれぞれ保持しながら、前記湯連通手段を前記第１シート部に、かつ、前記水連通手段を前記第２シート部にそれぞれ密着させてある。
【０００６】
【発明の実施の形態】
以下、この発明の実施の形態について説明する。
【０００７】
図１〜図８は、この発明の第１の実施形態について説明する。
【０００８】
図１〜図８において、１は、シングルレバー混合栓Ｖの胴部（混合栓本体）で、湯供給路２ａを形成する湯供給用貫通穴２と水供給路３ａを形成する水供給用貫通穴３を有しており、これら供給路２ａ，３ａの下流には弁機構４が設けられている。この弁機構４は、操作ハンドル５を上下方向に操作することによって吐水・止水するよう機能するとともに、操作ハンドル５を左右方向に操作することによって所望の温度の湯水混合水が吐水管６から吐出するよう機能する。
【０００９】
１００は、既設の２ハンドル混合栓の混合栓本体であって、中央に位置する吐水管（図示せず）と左側に位置する弁機構を含む湯ハンドルと右側に位置する弁機構を含む水ハンドルを取り外してある。
【００１０】
すなわち、この混合栓本体１００は、その中央位置に、外周面に雄ねじｓが形成された吐水管取付部９を有し、左側位置に、外周面に雄ねじｍが形成された湯ハンドル取付部１２を有し、右側位置に、外周面に雄ねじｑを備えた湯ハンドル取付部１５を有する。これら取付部９，１２，１５の上部は混合栓本体１００の上面１００ａから上方へ突出している。
【００１１】
この実施形態では、左右の取付部１２，１５間のピッチＡが例えば２０３ｍｍ（長い）である。また、左右の取付部１２，１５の外径が３０ｍｍ（大径）で、中央の吐水管取付部９の外径が例えば２６ｍｍ（小径）である。
【００１２】
８は、吐水管取付部９の連通穴で、ツーバルブ混合栓の湯水混合流路７に連通する。
【００１３】
また、取付部１２の連通穴１１は、雄ねじｅを備えた湯接続部材１０に連通している。すなわち、連通穴１１の下部には雌ねじｒが形成されており、前記雄ねじｅとの螺合により湯接続部材１０の上端が混合栓本体１００に接続される。
【００１４】
一方、湯接続部材１０の下端は、湯配管（図示せず）に接続されている。
【００１５】
図２において、３０ａ，３０ｂは、湯接続部材１０の上端面に形成された弁座（第１シート部）である。つまり、弁座３０ａ，３０ｂと、取付部１２の上端面ｇとの間の高さはメーカーによって異なり、例えば、弁座３０ａ，３０ｂ間の高さの差は３ｍｍである。
【００１６】
２０は、吐水管取付部９の連通穴８を閉塞するよう、シングルレバー混合栓Ｖを吐水管取付部９に接続するために用いられる接続ナットである。この接続ナット２０は、シングルレバー混合栓Ｖの胴部１の下面ｗに形成された嵌合穴２１に嵌込まれる小径上部２０ａと内周面に雌ねじｚが形成された螺合穴２０ｃを有する大径下部２０ａとよりなる。
【００１７】
ところで、混合栓本体１００では、吐水管取付部９の外径が上述したように２６ｍｍと小径であるので、シングルレバー混合栓Ｖを吐水管取付部９に接続するために吐水管取付部９の雄ねじｓに螺合する雌ねじ２２を有するアダプターが必要である。２３はそのアダプターである。そして、このアダプター２３の雄ねじ２４が接続ナット２０の前記雌ねじｚに螺合するとともに、雄ねじ２４直下に環状のフランジＦを有する。
【００１８】
更に、７０は取付板である。この取付板７０は、前記アダプター２３が吐水管取付部９に螺合により取り付けられた状態で混合栓本体１００の上面１００ａに載置される。取付板７０は、薄型で、混合栓本体１００の長手方向における長さと略同じ長さを有する。そして、取付板７０は、吐水管取付部９に対応する中央位置に吐水管取付部９の外径よりも大径の円形孔７１を有する下板部７０ａと、左右の取付部１２，１５に対応する左右位置にそれぞれ混合栓本体１００の長手方向に沿って最大長さＢを有する長孔７４を有する上板部７０ｂ，７０ｂとよりなる。前記長孔７４の前記最大長さＢは取付部１２，１５の外径に略等しい。７７は複数個のビスで、このビス７７に対応する数のビス孔７８が上板部７０ｂにおける長孔７４のまわりに穿設されている。
【００１９】
そして、前記取付板７０は、混合栓本体１００の上面１００ａに載置しながら、雄ねじ２４と雌ねじｚを介してアダプター２３を接続ナット２０に締結させることで生じる下向きの力によって、上板部７０ｂ，７０ｃの長孔７４周囲の面部８０，８１が取付部１２，１５の上端面７２，７３上に強固に当接するよう構成されている。
【００２０】
３１は湯連通手段としての湯連通機構で、シングルレバー混合栓Ｖの胴部１の湯供給穴２と取付部１２の連通穴１１を連通させる。
【００２１】
この湯連通機構３１は、上流側からこの順で設けた栓棒２９付エルボ３３と、アジャスター３４と、連接管３５とから主としてなる。
【００２２】
更に、エルボ３３は、上流に取付部１２，１５の外径よりも大きな径を有する大径部９３を有し、この大径部９３はこの下面が長孔７４周囲の面部８０，８１に当接する形で位置する。
【００２３】
そして、前記大径部９３の下面には、ビス７７を取付板７０に設けたビス孔７８を介して取付板７０の下面側からねじ込むためのビス孔８８を有する。すなわち、エルボ３３を取付板７０の上板部７０ｂ，７０ｃに載置した後、取付板７０の下面側からビス７７をビス孔７８を介してビス孔８８にねじ込む。
【００２４】
また、前記連接管３５は、吐水管取付部９および取付部１２間のピッチ（Ａ／２）に適合するよう前記胴部１の前記湯供給穴２と取付部１２の前記連通穴１１間の長さを調整するためのものである。
【００２５】
栓棒２９は、前記弁座３０ａ，３０ｂに当接する環状パッキン（弁体）４０を中央孔４２の入口４４に有し、両矢印Ｚで示す高さ方向における中間位置に形成された雄ねじｈが、エルボ３３の入口に形成された雌ねじｉに螺合しながらＺ方向に上下移動できるようになっている。４１は、六角棒スパナ（図示せず）の六角ナット部分が嵌合する六角溝で、六角棒スパナによって栓棒２９を両矢印Ｘで示す方向に回動させることで栓棒２９をＺ方向に微調節できる。４５は中央孔４２の出口である。そして、前記雄ねじｈ、雌ねじｉ、六角溝４１および前記六角棒スパナによって栓棒微調整手段が構成される。
【００２６】
また、前記アジャスター３４は、両矢印Ｕで示す長手方向に沿う中央貫通孔４７を有し、長手方向の中央位置に両矢印Ｋで示す方向に回動操作される環状つまみ４８を有し、この環状つまみ４８の直上流側に環状溝４９を有し、環状つまみ４８の上流側にＯリング５０を介して雄ねじ５１を有する。そして、エルボ３３の下流部３３ｂには、ビス５２用の孔５３が設けられており、アジャスター３４を下流部３３ｂ内に嵌め込んだ後、ビス５２を前記環状溝４９に嵌挿する。
【００２７】
一方、前記連接管３５は、両矢印Ｕで示す長手方向に沿う中央貫通孔５５を有し、上流側の大径部内にはアジャスター３４の雄ねじ５１に螺合する雌ねじ５６が形成されている。そして、前記ビス５２、孔５３、環状溝４９、環状つまみ４８、雄ねじ５１、雌ねじ５６によってピッチ微調整手段が構成される。また、連接管３５の下流端の外周にはシングルレバー混合栓Ｖの胴部１に形成された前記湯供給用貫通穴２の入口５７に形成された雌ねじ５８と螺合する雄ねじ５９が形成されており、雄ねじ５９の直上流側にＯリング５０ａが位置している。したがって、連接管３５を胴部１に接続し、エルボ３３および連接管３５間にアジャスター３４を接続した状態では、吐水管取付部９および湯ハンドル取付部１２間のピッチに適合する長さ（Ａ／２）に湯連通機構３１を設定できる。
【００２８】
ところで、取付部１２，１５間のピッチＡは例えば２０３ｍｍであるが、±２ｍｍ程度の公差があり、そのため湯連通機構３１においても微調整が必要であるが、これは、環状つまみ４８を矢印Ｋで示す方向に回動操作することで行える。
【００２９】
前記Ｏリング５０ａと雄ねじ５９を含む連接管３５の下流側は、前記アジャスター３４のＯリング５０と雄ねじ５１を含む下流側と同一構成であるとともに、連接管３５の雌ねじ５６を含む上流側は、胴部１の雌ねじ５８を含む入口５７側と同一構成である。よって、混合栓本体１００のピッチＡより短いピッチの混合栓本体（図示せず）を用いる場合は、連接管３５は不要になるが、前記雄ねじ５１と雌ねじ５８の螺合によりアジャスター３４を入口５７を介して胴部１に接続できる。
【００３０】
なお、以上説明した湯連通機構３１の構成と同様の構成を水連通機構６０は持っている。すなわち、図１、図２において、５７ａは、シングルレバー混合栓Ｖの胴部１に設けた水供給用貫通穴３の入口で、湯供給用貫通穴２の入口５７と同一構成である。また、２９ａは、栓棒２９と同一構成の栓棒である。３３ａは、エルボ３３と同一構成のエルボある。３４ａは、アジャスター３４と同一構成のアジャスターである。３５ａは、連接管３５と同一構成の連接管である。また、３０ｃ，３０ｄは第２シート部である。
【００３１】
また、図６〜図８において、化粧カバー６１は、左右に二つ割りに構成されており、一方のカバー体６２に設けた係止爪６３と、他方のカバー体６４に設けた係止溝６５とが係合するとともに、一方のカバー体６２に設けた係止溝６６と、他方のカバー体６４に設けた係止爪６７とが係合する。７１はナットで、化粧カバー６１を押圧してガタツキを防止する。
【００３２】
更に、図１において、７３は止めねじで、７４は胴部１に設けた径方向に貫通したねじ孔７４である。よって、吐水管取付部９にアダプター２３を取り付け、このアダプター２３に円形孔７１を介して取付板７０を取り付け、更に、シングルレバー混合栓Ｖ用の接続ナット２０をアダプター２３に取り付け、この接続ナット２０に上方からシングルレバー混合栓Ｖの胴部１の下面ｗに形成された嵌合穴２１を介してシングルレバー混合栓Ｖを取り付けた後は、止めねじ７３をねじ孔７４に螺合して胴部１を吐水管取付部９に確実に固定できる。
【００３３】
以上のことから明らかなように、２ハンドル混合栓の吐水管を取り外した後の吐水管取付部９のみを利用してシングルレバー混合栓Ｖの胴部１を混合栓本体１００に確実に固定できる。
【００３４】
なお、取替手順は以下の通りである。
【００３５】
（１）混合栓本体１００から２ハンドル混合栓で使用していた吐水管と、吐水管左右に位置する弁機構を含む湯ハンドルおよび水ハンドルとを取り外す。
【００３６】
以下、湯側のみについて説明する。
（２）吐水管取付部９にアダプター２３を取り付け、更に、アダプター２３に円形孔７１を介して取付板７０をはめ込んだ後接続ナット２０を取り付ける。
【００３７】
（３）接続ナット２０上にシングルレバー湯水混合栓Ｖを取り付ける。
【００３８】
（４）湯連通機構３１を胴部１の湯供給用貫通穴２の入口５７および取付部１２間にセットする。
【００３９】
すなわち、湯連通機構３１の袋ナット９３を割りリング３２を介して第２ねじ部１２に取り付ける一方、湯連通機構３１の連接管３５を湯供給用貫通穴２の入口５７に取り付ける。この場合、止めねじ７３をねじ孔７４に螺合して胴部１を第１ねじ部９に固定する。
【００４０】
（５）栓棒２９を両矢印Ｘで示す方向に回動させることで環状パッキン（弁体）４０を弁座（第１シート部）３０ａ，３０ｂに当接させる。
【００４１】
この場合、取付板７０と湯連通機構３１をそれぞれ保持しながら、湯連通機構３１を第１シート部３０ａ，３０ｂに密着させることができる。
【００４２】
そして、この発明では、栓棒２９をＺ方向に微調節できるので、異なる高さの弁座３０ａ，３０ｂに対応できる。
【００４３】
（６）化粧カバー６１を取り付ける。
【００４４】
この実施形態では、取付板７０の上板部７０ｂ，７０ｃにおいて取付板７０とエルボ３３とをビス７７止めにより接続したものを示したが、図９、図１０に示す第２の実施形態のように、エルボ３３を取付板７０の上板部７０ｂ，７０ｃに載置するだけの構成を採用しても、取付板７０と湯連通機構３１および水連通機構６０をそれぞれ保持しながら、湯連通機構３１を第１シート部３０ａ，３０ｂに、かつ、水連通機構６０を第２シート部３０ｃ，３０ｄにそれぞれ密着させることができる。なお、図９、図１０において、図１〜図８に示した符号と同一のものは、同一または相当物である。
【００４５】
図１１は、ピッチＡは既設の２ハンドル混合栓の混合栓本体と同じ２０３ｍｍで、吐水管取付部（雄ねじ）１９ａの外径Ｐが上記各実施形態の吐水管取付部（雄ねじ）９の外径（＝２６ｍｍ）よりも大きな例えば３０ｍｍで、湯ハンドル取付部１２ａおよび水ハンドル取付部１５ａが雌ねじタイプの混合栓本体２００を用いたこの発明の第３の実施形態を示す。なお、図１１において、図１〜図１０に示した符号と同一のものは、同一または相当物である。
【００４６】
上記各実施形態と異なる点は、湯ハンドル取付部１２ａおよび水ハンドル取付部１５ａが雌ねじｊである点と、吐水管取付部１９ａの外径Ｐが吐水管取付部９の外径よりも大きい点の二点である。
【００４７】
そのため、湯ハンドル取付部１２ａおよび水ハンドル取付部１５ａに、外周面に雄ねじｍ（ｑ）が形成された外径が３０ｍｍのアダプター６６を設ける。
【００４８】
一方、シングルレバー湯水混合栓Ｖを取り付けの際は、上記各実施形態で用いたアダプター２３は不要で、吐水管取付部１９ａに接続ナット２０を取り付けるだけでよい。
【００４９】
図１２は、湯ハンドル取付部１２ｂおよび水ハンドル取付部１５ｂ間のピッチＢが前記ピッチＡよりも短い例えば１０２ｍｍ（短い）で、かつ、吐水管取付部（雄ねじ）９の外径Ｑは前記混合栓本体１００の場合と同じ例えば２６ｍｍ（小径）で、更に、湯ハンドル取付部および水ハンドル取付部１５ｂが雄ねじタイプの混合栓本体３００を用いた場合のこの発明の第４の実施形態を示す。なお、図１２において、図１〜図１１に示した符号と同一のものは、同一または相当物である。
【００５０】
上記第各の実施形態と異なる点は、湯連通機構３１、水連通機構６０のいずれにおいても連接管を不要とする点だけである。
【００５１】
すなわち、アジャスター３４（図１参照）は直接胴部１に取り付けられる。この場合も、湯ハンドル取付部１２ｂおよび水ハンドル取付部１５ｂ間のピッチＢは例えば１０２ｍｍであるが、±１．５ｍｍ程度の公差があり、そのため微調整が必要であるが、これは、環状つまみ４８（図１参照）を回動操作することで行える。
【００５２】
また、栓棒２９（図１参照）を回動させることで環状パッキン（弁体）４０を弁座に当接させることができる。すなわち、この発明では、栓棒２９をＺ方向に微調節できるので、異なる高さのシート部３０ａ〜３０ｄに対応できる。
【００５３】
【発明の効果】
以上のようにこの発明では、既設の２ハンドル混合栓を、給水・給湯配管を取り外すことなく簡単かつ確実にシングルレバー混合栓へ取替えでき、従来のように費用が嵩んだり取替え工事に時間がかかるといった問題点を解消できる効果がある。
【図面の簡単な説明】
【図１】この発明の第１の実施形態を示す分解斜視図である。
【図２】上記実施形態におけるシングルレバー混合栓の取り付け状態を示す構成説明図である。
【図３】上記実施形態における湯連通手段の要部構成説明図である。
【図４】同じく上記実施形態における湯連通手段で用いた栓棒の構成説明図である。
【図５】上記実施形態におけるシングルレバー混合栓を示す構成説明図である。
【図６】この発明で用いた化粧カバーを示す構成説明図である。
【図７】（Ａ）は前記化粧カバーを構成する一方のカバー体を示す平面図である。
（Ｂ）は前記化粧カバーを構成する一方のカバー体の内部構成を示す側面図である。
【図８】（Ａ）は前記化粧カバーを構成する一方のカバー体と他方のカバー体との係合部分を示す構成説明図である。
（Ｂ）は前記両カバー体の係合部分より上側の結合状態を説明するための図である。
（Ｃ）は前記両カバー体の係合手順を示す図である。
【図９】この発明の第２の実施形態を示す分解斜視図である。
【図１０】上記第２の実施形態におけるシングルレバー混合栓の取り付け状態を示す構成説明図である。
【図１１】この発明の第３の実施形態に用いる２ハンドル混合栓の混合栓本体の斜視図である。
【図１２】この発明の第４の実施形態に用いる２ハンドル混合栓の混合栓本体の斜視図である。
【符号の説明】
１…シングルレバー混合栓の胴部、９…吐水管取付部、１２，１５…取付部、３１…湯連通手段、４０…環状パッキン、１００…２ハンドル混合栓の混合栓本体、Ｖ…シングルレバー混合栓。
【図１】
0004388193.tif 000002
【図２】
0004388193.tif 000003
【図３】
0004388193.tif 000004
【図４】
0004388193.tif 000005
【図５】
0004388193.tif 000006
【図６】
0004388193.tif 000007
【図７】
0004388193.tif 000008
【図８】
0004388193.tif 000009
【図９】
0004388193.tif 000010
【図１０】
0004388193.tif 000011
【図１１】
0004388193.tif 000012
【図１２】
0004388193.tif 000013